(57)【要約】【課題】  次世代規格のメモリカードは、ｅｘＦＡＴとＦＡＴ３２のファイルシステムに対応可能な規格となっている。しかしながら、ＦＡＴ３２のファイルシステムを搭載した場合、ＦＡＴ３２で扱えるメモリ領域は３２ＧＢまでなので、３２ＧＢを超える領域にはアクセスが出来ず、これをユーザに知らせ無ければならないといった課題があった。【解決手段】  次世代規格のメモリカードを検出し、更にｅｘＦＡＴ以外のファイルシステムを検出した場合は、ｅｘＦＡＴのファイルシステムで初期化することを案内する。【選択図】  図２
2010160630.tif 000002
【特許請求の範囲】
【請求項１】
メモリを装着可能な記録装置であって、
前記メモリから、前記メモリの管理情報を取得し、当該管理情報から前記メモリの記録容量情報を取得する取得手段と、
前記メモリの現在のファイルシステムを検出する検出手段と、
前記取得手段により取得された前記記録容量情報と、前記検出手段により検出されたファイルシステムとに応じて、現在のファイルシステムの変更を案内するガイダンスを表示手段に表示させる表示制御手段とを有することを特徴とする記録装置。
【請求項２】
さらに前記ファイルシステムで扱うことのできるメモリの上限よりも、前記メモリの記録容量の方が大きいか否かを判別する判別手段を有し、
前記判別手段により、前記ファイルシステムで扱うことのできるメモリの上限よりも、前記メモリの記録容量の方が大きいと判別した場合に、前記表示制御手段は前記ガイダンスの表示を行う様に制御することを特徴とする請求項１に記載の記録装置。
【請求項３】
メモリを装着可能な記録装置であって、
前記メモリから、前記メモリの管理情報を取得し、前記メモリの種類を判別するメモリ判別手段と、
前記メモリの現在のファイルシステムを検出する検出手段と、
前記メモリ判別手段により取得されたメモリの種類と、前記検出手段により検出されたファイルシステムとに応じて、現在のファイルシステムの変更を案内するガイダンスを表示手段に表示させる表示制御手段とを有することを特徴とする記録装置。
【請求項４】
さらに、前記メモリの種類に応じて予め設定されていることが期待されるファイルシステムと、前記検出手段で検出したファイルシステムとを比較する比較手段を有し、
前記比較手段により、前記メモリの種類に応じて予め設定されていることが期待されるファイルシステムと、前記検出手段で検出したファイルシステムとが異なると判定された場合に、前記表示制御手段は前記ガイダンスの表示を行う様に制御することを特徴とする請求項３に記載の記録装置。
【請求項５】
前記メモリは前記記録装置に着脱可能であり、前記表示制御手段の制御は、前記メモリを装着したことを検出したことに応じて行われることを特徴とする請求項１ないし４のいずれか１項に記載の記録装置。
【請求項６】
さらに、前記記録装置はデータを別の記録媒体を備えており、
前記表示制御手段の制御は、前記メモリに対して、前記別の記録媒体に記録されているデータの一部なたは全部をコピーしようとする場合に行われることを特徴とする請求項１ないし４のいずれか１項に記載の記録装置。
【請求項７】
前記ガイダンスは、前記ファイルシステムの変更により、前記メモリへ記録可能な容量が変化する旨の情報を含むことを特徴とする請求項１ないし６のいずれか１項に記載の記録装置。
【請求項８】
メモリを装着可能な記録装置の制御方法であって、
前記メモリから、前記メモリの管理情報を取得し、当該管理情報から前記メモリの記録容量情報を取得する取得工程と、
前記メモリの現在のファイルシステムを検出する検出工程と、
前記取得工程により取得された前記記録容量情報と、前記検出工程により検出されたファイルシステムとに応じて、現在のファイルシステムの変更を案内するガイダンスを表示手段に表示させる表示制御工程とを有することを特徴とする記録装置の制御方法。
【請求項９】
メモリを装着可能な記録装置の制御方法であって、
前記メモリから、前記メモリの管理情報を取得し、前記メモリの種類を判別するメモリ判別工程と、
前記メモリの現在のファイルシステムを検出する検出工程と、
前記メモリ判別工程により取得されたメモリの種類と、前記検出工程により検出されたファイルシステムとに応じて、現在のファイルシステムの変更を案内するガイダンスを表示手段に表示させる表示制御工程とを有することを特徴とする記録装置の制御方法。
【発明の詳細な説明】
【技術分野】
【０００１】
本発明は、メモリカードのファイルシステムを変更可能な記録装置に関する。
【背景技術】
【０００２】
近年、メモリカードの大容量化、高速化が目覚しく進んでおり、デジタルカメラやデジタルビデオカメラなどの画像情報を記憶する記憶媒体として、広く採用されるようになっている。
【０００３】
デジタルカメラやデジタルビデオカメラの分野では、画像の高画素化とこれに伴う記録レートの高速化が求められており、このニーズに応えるようにメモリカードの大容量化、高速化も飛躍的に進んでいる。
【０００４】
一方、メモリカードの大容量化、高速化に伴い、メモリカードの規格も大きな変遷を遂げてきている。メモリカードの代表的な１つであるＳＤメモリカードでは、そのファイルシステムとしてＦＡＴ１６が採用されてきた。しかしＦＡＴ１６で扱える容量は２ＧＢ（ギガバイト）に制限されるため、２ＧＢ超えをテーマに新たにＳＤＨＣ規格が誕生した。これはファイルシステムとしてＦＡＴ３２を採用して３２ＧＢのメモリカードまでの扱える規格となっている。またＳＤＨＣ規格の制定と同時に、データ転送速度をＳｐｅｅｄＣｌａｓｓとして保証する情報が追加された。ＳｐｅｅｄＣｌａｓｓが６であればデータ転送速度６ＭＢ／ｓ、ＳｐｅｅｄＣｌａｓｓが４であればデータ転送速度４ＭＢ／ｓ、ＳｐｅｅｄＣｌａｓｓが２であればデータ転送速度２ＭＢ／ｓを保証している事になる。但しＳＤ規格のカードの中でＳｐｅｅｄＣｌａｓｓ情報を持たないものも存在する。
【０００５】
以上の様にＳＤ規格とＳＤＨＣ規格では採用するファイルシステムが異なる為、ＳＤメモリカードのホストドライバは、対応されていない形式のファイルシステムを持ったＳＤメモリカードが装填された場合には警告を出すような提案がなされてきた。（特許文献１参照）
一方、メモリカードのプロセス技術が３２ＧＢ越えを可能となった現在では、この３２ＧＢ越えを可能とするファイルシステムｅｘＦＡＴを採用したＳＤメモリカードの次世代規格が策定されている。
【０００６】
この次世代規格では、ＳＤメモリカード対応機器機器のホストドライバの互換性を保つ為に、ＦＡＴ３２のファイルシステムにも対応可能な規格となっている。
【特許文献１】特開２００８−１９７９５４号公報
【発明の開示】
【発明が解決しようとする課題】
【０００７】
しかしながら、次世代規格に対応したＳＤメモリカードに対してＦＡＴ３２のファイルシステムを搭載した場合、ＦＡＴ３２で扱えるメモリ領域は３２ＧＢまでとなってしまい、３２ＧＢを超える領域にはアクセスが出来ないといった問題があった。
【０００８】
新規格のメモリカードのメモリサイズを正しく使いこなす課題に対しては、特許文献１の提案では問題を解消できなかった。
【課題を解決するための手段】
【０００９】
上記問題点を解決する為の本発明にかかる記録装置は、メモリを装着可能であって、メモリから、メモリの管理情報を取得し、当該管理情報からメモリの記録容量情報を取得する取得手段と、メモリの現在のファイルシステムを検出する検出手段と、取得手段により取得された記録容量情報と、検出手段により検出されたファイルシステムとに応じて、現在のファイルシステムの変更を案内するガイダンスを表示手段に表示させる表示制御手段とを有することを特徴とする。
【００１０】
また、上記問題点を解決する為の、本発明にかかる他の記録装置は、メモリを装着可能な記録装置であって、メモリから、メモリの管理情報を取得し、メモリの種類を判別するメモリ判別手段と、メモリの現在のファイルシステムを検出する検出手段と、メモリ判別手段により取得されたメモリの種類と、検出手段により検出されたファイルシステムとに応じて、現在のファイルシステムの変更を案内するガイダンスを表示手段に表示させる表示制御手段とを有することを特徴とする。
【発明の効果】
【００１１】
本発明によれば、操作者が、メモリカードの種類や特徴を知らなくても、メモリカードのメモリサイズを正しく使いこなすことが可能となる。
【００１２】
特に、メモリカードが本来持っているメモリサイズをサポート可能なファイルシステム変更することを促すことによって、メモリが本来持っている記録容量に適したファイルシステムを利用しやすくなる。
【発明を実施するための最良の形態】
【００１３】
（実施例１）
図１は本発明第１の実施例を実現するための記録再生装置の要部を示すブロック図である。同図において、１−１は、記録再生装置に着脱可能なメモリーカードで、この記録装置が装着可能なメモリーカードとしてＳＤ規格、ＳＤＨＣ規格、及びｅｘＦＡＴを採用した次世代規格のＳＤメモリカードを例にとって説明していく。１−２はカード装填部で、メモリーカード１−１を装填して記録再生装置と接続する。１−３はカード制御部で、メモリカード１−１と通信してメモリカードへのアクセス処理を行う。１−４はカード情報検出部で、カード制御部１−３の制御によって取得したメモリカードに関する管理情報（カード情報）を取得する。１−５はカード判別部で、ＳＤ規格、ＳＤＨＣ規格、次世代規格の何れの規格に該当するメモリカードかを判別でする。その判別方法は後段で説明する。１−６はファイルシステム検出部で、カード情報検出部１−４にて検出されたメモリカードに搭載されたファイルシステムに関する情報を検出する。１−７はガイド情報生成部Ａで、カード判別部１−５にて判別されたメモリカードの種類と、ファイルシステム検出部１−６で検出されたファイルシステム情報とを比較して、ファイルシステムの変更の要否を操作者に案内するためのガイド情報を生成する。１−８は操作部で、操作者のキー入力に応じてメモリカードの初期化やデータ消去、メモリカードへのデータを書き込み、メモリカードからのデータの読み出しコマンドをカード制御部１−３に出力する。カード制御部１−３では処理コマンドに応じて、メモリカード１−１にアクセスし、コマンドに応じた処理を実行する。一方、１−９は画像信号を入力する画像入力部で、撮像素子を具備したレンズユニットや画像入力端子がこれに該当するが、ここではその何れかは問わない。１−１０は画像処理部で、画像入力部１−９にて入力された画像信号を符号化処理して画像データを生成、もしくはカード制御部１−３を介してメモリカード１−１から読み出された画像データを信号化処理して画像信号を生成する。１−１１は表示部で、画像処理部１−１０を介して得られる画像信号を表示する。このときガイド情報生成部Ａ（１−７）で生成されたガイド情報も表示され、操作者に案内される。
【００１４】
ここでカード判別部１−７で行われるメモリカードの種類の判別方法に関して、図２のフローチャート図を用いて説明する。カード判別部１−５は先ず、カード情報検出部１−４よりメモリカードの容量情報を検出する（Ｓ２−１）。そして、以下Ｓ２−２、Ｓ２−４での容量の判別によって、２ＧＢ以下ではＳＤ規格のメモリカード（Ｓ２−３）、３２ＧＢ以下ではＳＤＨＣ規格のメモリカード（Ｓ２−５）、３２ＧＢ超えでは次世代規格のメモリカード（Ｓ２−６）と判別する。
【００１５】
次に図３のフローチャート図を用いてガイド情報生成部Ａ（１−７）の処理を説明する。
【００１６】
ガイド情報生成部Ａ（１−７）はＳ３−０にて、メモリカードのマウント処理が行われ、カード情報検出部にて管理情報（カード情報）の収集が行われたことを検出すると、その処理を実行する。ここでメモリカードのマウント処理は、カード情報を読み込み、カードアクセス可能な状態にする処理を示しており、メモリカードが装填された時や、記録再生装置に電源が投入された時に実行される。なおこの処理を、別のメモリに記録されているデータをコピーして、メモリカードに書き込むとき行っても良い。なお、管理情報（カード情報）には、メモリカードのメーカやカードの種類情報以外に、メモリカードが本来記憶可能な容量情報や、書込み速度を保証する情報（スピードクラス）の情報も含む。
【００１７】
Ｓ３−０にてメモリカードのマウント処理が完了した事が検出されるとＳ３−１に進み処理を開始する。先ずＳ３−１では、カード判別部１−５が、管理情報（カード情報）からカード判別を行う為の情報を検出する。Ｓ３−１にてカード判別の為の情報（ここでは本来メモリカード有する記録可能な記録容量の情報）が検出されるとＳ３−２に進む。ここでファイルシステム検出部１−６よりマウントされたメモリカードの現在のファイルシステム情報を検出、次いでＳ３−３で現在のファイルシステムの種類を確認する。ＦＡＴ１６であればＳ３−４に進み、マウントされたメモリカードがＳＤ規格カードであるか確認する。ＦＡＴ１６をサポートしているのはＳＤ規格カードのみなので、その他規格カードが確認された場合はＳ３−５に進み、認識できないカードとして警告ガイドを生成して、表示部１−１１に出力する。Ｓ３−３でｅｘＦＡＴが確認されるとＳ３−６に進み、マウントされたメモリカードが次世代規格カードであるか確認する。ｅｘＦＡＴをサポートしているのは次世代規格カードのみなので、その他規格カードが確認された場合はＳ３−７に進み、認識できないカードとして警告ガイドを生成して、表示部１−１１に出力する。Ｓ３−３でＦＡＴ３２が確認されるとＳ３−８に進む。ＳＤ規格カードではＦＡＴ３２をサポートしていないので、Ｓ３−８でＳＤ規格カードが確認された場合はＳ３−９に進み、認識できないカードとして警告のガイダンスを生成して、表示部１−１１に出力する。このように、メモリの種類によって、予め設定されていることが期待されるファイルシステムと、現在設定されているファイルシステムとを比較して、ガイダンス表示の内容を決定している。
【００１８】
一方次世代規格カードではｅｘＦＡＴを利用することが期待されて作られているが、このほかにＦＡＴ３２でフォーマット可能となっている。但しＦＡＴ３２で扱えるメモリ領域は３２ＧＢまでなので、３２ＧＢを超える容量を持つ次世代規格カードであっても、扱える容量は３２ＧＢが上限となってしまう。そこで本実施例ではＳ３−８では、３２ＧＢを超える容量を持ちながらもＦＡＴ３２のファイルシステムを有しているメモリカードを判別した場合には、次世代規格カードが装着されているとしてＳ３−１０に進む。つまり、次世代規格カードで設定されていることが期待されるファイルシステムと、現在設定されているファイルシステムが異なると判定できる。そして、ｅｘＦＡＴのファイルシステムで初期化しなおすことを警告するガイド表示を生成して、表示部１−１１に出力する用に表示制御を行うことを特徴としている。
【００１９】
ここで、Ｓ３−５、Ｓ３−７、Ｓ３−９で生成された認識ＮＧ警告ガイドの表示の一例を図４に示す。警告ガイドの文言や表示形式に関しては図４の一例に限らず、例えばアイコン形成で表現してもかまわない。
【００２０】
一方、Ｓ３−１０で生成された「ｅｘＦＡＴのファイルシステムに初期化しなおすことを推奨する警告ガイド」の一例を図５に示す。ここでも警告ガイドの文言や表示形式に関しては図５の一例に限らず、例えばアイコン形成で表現してもかまわない。
【００２１】
更にＳ３−１０で生成された「ｅｘＦＡＴのファイルシステムに初期化しなおすことを推奨する警告ガイド」に関しては、図６の様に、初期化を誘導する文言でもかまわない。この場合はガイド表示に基づき、ユーザは操作部１−８を介して初期化の実行／非実行を選択する。初期化が選択されるとカード制御部１−３にて初期化の処理が実行される。また図５、６で記される「本体で初期化」とは、ｅｘＦＡＴのファイルシステムでの初期化を意味している。
【００２２】
以上、説明したように本発明第一の実施例では、メモリカードのメモリサイズをサポート可能なファイルシステムが搭載されているかを判断して、サポート不可能であればファイルシステムの変更を案内する警告ガイダンスを生成することを特徴としている。
【００２３】
（実施例２）
本発明の第一の実施例では、メモリカードのメモリサイズをサポート可能なファイルシステムが搭載されているかを判断して、サポート不可能であればファイルシステムの変更を案内する警告ガイドを生成する提案を行った。
【００２４】
本発明の第二の実施例では、第一の実施例に対して、更にファイルシステムの変更を案内する警告ガイドの内容を、メモリカードのマウント処理が発生した条件に応じて切り替える提案を行っていく。
【００２５】
図７は本発明第二の実施例を実現するための記録再生装置の要部を示すブロック図である。第一の実施例で説明した図１の記録再生装置に対して、ガイド情報生成部Ｂ７−７の処理のみが異なっている。ここでは、図７において図１と同符号で表されたブロックの説明は割愛し、ガイド情報生成部Ｂ７−７の処理に関して、図８のフローチャート図を用いてガイド情報生成部Ｂ７−７の処理を説明する。
【００２６】
ガイド情報生成部Ｂ７−７はＳ８−０にて、メモリカードのマウント処理が行われ、カード情報検出部にて管理情報（カード情報）の収集が行われたことを検出すると、その処理を実行する。ここでメモリカードのマウント処理は、カード情報を読み込み、カードアクセス可能な状態にする処理を示しており、メモリカードが装填された時や、記録再生装置に電源が投入された時に実行される。なおこの処理を、別のメモリに記録されているデータをコピーして、メモリカードに書き込むとき行っても良い。なお、管理情報（カード情報）には、メモリカードのメーカやカードの種類情報以外に、メモリカードが本来記憶可能な容量情報や、書込み速度を保証する情報（スピードクラス）の情報も含む。
【００２７】
Ｓ８−０にてメモリカードのマウント処理が完了した事が検出されるとＳ８−１に進み、ここで今回のメモリカードのマウント処理にて、「初期化を誘導するガイド表示を出力する必要があるか」を判断する。「初期化を誘導する必要条件」としては、カード装填時のマウント処理、コンテンツ未記録カードのマウント処理、初回装填時等が想定されるが、ここではカード装填時のマウント処理を「初期化を誘導する必要条件」として、以下説明を行っていく。またカード装填時の判別方法としてはカード情報のバックアップデータと今回カード情報を比較して差があった場合は「カードの装填」を判別すればよいが、ここではその判別手法に関しては問わない。Ｓ８−１にて「初期化を誘導する必要条件（つまりカード装填時）」が判別されるとＳ８−２にて初期化誘導フラグをセットし、カード装填によるマウント処理で無ければＳ８−３にて初期化誘導フラグをクリアする。
【００２８】
次いでＳ８−４ではカード判別部１−５が、管理情報（カード情報）からカード判別を行う為の情報を検出する。このカード判別情報には、メモリカードの種類情報、製品名、メーカ情報、記憶化脳容量などの情報が含まれている。Ｓ８−４にてカード判別情報が検出されるとＳ８−５に進み、ここでファイルシステム検出部１−６よりマウントされたメモリカードのファイルシステム情報を検出、次いでＳ８−６で現在のファイルシステムの種類を確認する。ＦＡＴ１６であればＳ８−７に進み、マウントされたメモリカードがＳＤ規格カードであるか確認する。ＦＡＴ１６をサポートしているのはＳＤ規格カードのみなので、その他規格カードが確認された場合はＳ８−８に進み、認識できないカードとして警告ガイドを生成して、表示部１−１１に出力する。Ｓ８−６でｅｘＦＡＴが確認されるとＳ８−９に進み、マウントされたメモリカードの種類が次世代規格カードであるか判別する。ｅｘＦＡＴをサポートしているのは次世代規格カードのみなので、その他規格カードが確認された場合はＳ８−１０に進み、認識できないカードとして警告ガイドを生成して、表示部１−１１に出力する。Ｓ８−６でＦＡＴ３２が確認されるとＳ８−１１に進む。ＳＤ規格カードではＦＡＴ３２をサポートしていないので、Ｓ８−１１でＳＤ規格カードが確認された場合はＳ８−１２に進み、認識できないカードとして警告ガイドを生成して、表示部１−１１に出力する。
【００２９】
一方次世代規格カードではｅｘＦＡＴのほかにＦＡＴ３２もサポートしている。但しＦＡＴ３２で扱えるメモリ領域は３２ＧＢまでなので、３２ＧＢを超える容量を持つ次世代規格カードに対して、メモリアクセス領域が制限されてしまう。そこで本実施例ではＳ８−１１で次世代規格カードが確認された場合はＳ８−１３に進む。そして、ここで今回のマウント処理が発生した要因ごとに「ｅｘＦＡＴのファイルシステムで初期化しなおすことを推奨する警告ガイド」もしくは「ｅｘＦＡＴのファイルシステムで初期化しなおすことを誘導する警告ガイド」を選択的に生成する。つまりＳ８−１３にて初期化誘導フラグがクリア状態と判別した場合は、Ｓ８−１４に進み「ｅｘＦＡＴのファイルシステムで初期化しなおすことを推奨する警告ガイド」を生成する。
【００３０】
一方、Ｓ８−１３にてカード装填フラグがセット状態と判別した場合は、Ｓ８−１５に進み「ｅｘＦＡＴのファイルシステムで初期化しなおすことを誘導する警告ガイド」を生成して、表示部１−９に出力する。この場合はガイド表示に基づき、ユーザは操作部１−８を介して初期化の実行／非実行を選択する。初期化が選択されるとカード制御部１−３にて初期化の処理が実行される。
【００３１】
ここで、Ｓ８−９、Ｓ８−１０、Ｓ８−１２で生成された認識ＮＧ警告ガイドの表示の一例を図４に示す。警告ガイドの文言や表示形式に関しては図４の一例に限らず、例えばアイコン形成で表現してもかまわない。
【００３２】
また、Ｓ８−１４で生成された「ｅｘＦＡＴのファイルシステムに初期化しなおすことを推奨する警告ガイド」の一例を図５に、Ｓ８−１５で生成された「ｅｘＦＡＴのファイルシステムで初期化しなおすことを誘導する警告ガイド」の一例を図６に示す。図６のように、メモリへ記録可能な容量が変化する旨の情報を含むようにすると、使用者にとっては分かりやすくて便利である。ここでも警告ガイドの文言や表示形式に関しては図５、６の一例に限らず、例えばアイコン形成で表現してもかまわない。
【００３３】
また図５、６で記される「本体で初期化」とは、ｅｘＦＡＴのファイルシステムでの初期化を意味している。
【００３４】
以上、説明したように本発明第二の実施例では、メモリカードのメモリサイズをサポート可能なファイルシステムが搭載されているかを判断して、サポート不可能であればファイルシステムの変更を案内する警告ガイドを生成する。このとき更にメモリカードのマウント処理が発生した条件に応じて切り替える工夫がなされており、これによって必要な場合には、初期化を推奨するだけでなく、誘導する様に警告ガイドが表示されることになる。
【００３５】
（実施例３）
本発明の第一の実施例では、メモリカードのメモリサイズをサポート可能なファイルシステムが搭載されているかを判断して、サポート不可能であればファイルシステムの変更を案内する警告ガイドを生成する提案を行った。
【００３６】
本発明の第三の実施例では、メモリカードのマウント処理の履歴に応じ、初回と２回目以降にて、ファイルシステムの変更を案内する警告ガイドの表示内容を切り替える提案を行っていく。
【００３７】
図９は本発明第三の実施例を実現するための記録再生装置の要部を示すブロック図である。ここで本実施例では、メモリカードにはマウント履歴情報を保存するエリアを設けてあり、マウント処理が行われる度に履歴情報が更新される。そこで本記録装置では、第一の実施例で説明した図１の記録再生装置に対して、マウント履歴検出部９−１２が構成要素として具備され、ここでカード情報検出部１−４にて検出されたメモリカードのマウント履歴情報を検出する。ガイド情報生成部Ｃ９−７の処理のみも異なっている。
【００３８】
ここでは、図９において図１と同符号で表されたブロックの説明は割愛し、ガイド情報生成部Ｃ９−７の処理に関して、図１０のフローチャート図を用いてガイド情報生成部Ｃ９−７の処理を説明する。
【００３９】
ガイド情報生成部Ｃ９−７はＳ１０−０にて、メモリカードのマウント処理が行われ、カード情報検出部にてカード情報の収集が行われたことを検出すると、その処理を実行する。ここでメモリカードのマウント処理は、カード情報を読み込み、カードアクセス可能な状態にする処理を示しており、メモリカードが装填された時や、記録再生装置に電源が投入された時に実行される。
【００４０】
Ｓ１０−０にてメモリカードのマウント処理が完了した事が検出されるとＳ１０−４に進み、カード判別部１−５のカード判別情報を検出する。Ｓ１０−４にてカード判別情報が検出されるとＳ１０−５に進み、ここでファイルシステム検出部１−６よりマウントされたメモリカードのファイルシステム情報を検出、次いでＳ１０−６でファイルシステムの種類を確認する。ＦＡＴ１６であればＳ１０−７に進み、マウントされたメモリカードがＳＤ規格カードであるか確認する。ＦＡＴ１６をサポートしているのはＳＤ規格カードのみなので、その他規格カードが確認された場合はＳ１０−８に進み、認識できないカードとして警告ガイドを生成して、表示部１−１１に出力する。Ｓ１０−６でｅｘＦＡＴが確認されるとＳ１０−９に進み、マウントされたメモリカードが次世代規格カードであるか確認する。ｅｘＦＡＴをサポートしているのは次世代規格カードのみなので、その他規格カードが確認された場合はＳ１０−１０に進み、認識できないカードとして警告ガイドを生成して、表示部１−１１に出力する。Ｓ１０−６でＦＡＴ３２が確認されるとＳ１０−１１に進む。ＳＤ規格カードではＦＡＴ３２をサポートしていないので、Ｓ１０−１１でＳＤ規格カードが確認された場合はＳ１０−１２に進み、認識できないカードとして警告ガイドを生成して、表示部１−１１に出力する。
【００４１】
一方次世代規格カードではｅｘＦＡＴのほかにＦＡＴ３２もサポートしている。但しＦＡＴ３２で扱えるメモリ領域は３２ＧＢまでなので、３２ＧＢを超える容量を持つ次世代規格カードに対して、メモリアクセス領域が制限されてしまう。そこで本実施例ではＳ１０−１１で次世代規格カードが確認された場合はＳ１０−１３に進み、マウント履歴検出部９−１２で検出されたマウント履歴情報を確認してマウント履歴があればＳ１０−１４に進み「ｅｘＦＡＴのファイルシステムで初期化しなおすことを推奨する警告ガイド」を生成する。
【００４２】
一方、Ｓ１０−１３にてマウント履歴が無ければＳ１０−１５に進み「ｅｘＦＡＴのファイルシステムで初期化しなおすことを誘導する警告ガイド」を生成して表示部１−９に出力した後、Ｓ１０−１６に進みカード制御部を介してメモリカードのマウント履歴情報を更新する。この場合はガイド表示に基づき、ユーザは操作部１−８を介して初期化の実行／非実行を選択する。初期化が選択されるとカード制御部１−３にて初期化の処理が実行される。
【００４３】
ここで、Ｓ１０−９、Ｓ１０−１０、Ｓ１０−１２で生成された認識ＮＧ警告ガイドの表示の一例を図４に示す。警告ガイドの文言や表示形式に関しては図４の一例に限らず、例えばアイコン形成で表現してもかまわない。
【００４４】
また、Ｓ１０−１４で生成された「ｅｘＦＡＴのファイルシステムに初期化しなおすことを推奨する警告ガイド」の一例を図５に、Ｓ１０−１５で生成された「ｅｘＦＡＴのファイルシステムで初期化しなおすことを誘導する警告ガイド」の一例を図６に示す。ここでも警告ガイドの文言や表示形式に関しては図５、６の一例に限らず、例えばアイコン形成で表現してもかまわない。
【００４５】
また図５、６で記される「本体で初期化」とは、ｅｘＦＡＴのファイルシステムでの初期化を意味している。
【００４６】
以上、説明したように本発明第三の実施例では、メモリカードのマウント処理の履歴に応じ、初回のマウントの時には「ｅｘＦＡＴのファイルシステムで初期化しなおすことを誘導する警告ガイド」を表示し、２回目以降では「ｅｘＦＡＴのファイルシステムに初期化しなおすことを推奨する警告ガイド」の表示する様に工夫がなされており、
これによって初期化の誘導を初回限定で行うようになっている。
【００４７】
（実施例４）
本発明の第一の実施例では、メモリカードのメモリサイズをサポート可能なファイルシステムが搭載されているかを判断して、サポート不可能であればファイルシステムの変更を案内する警告ガイドを生成する提案を行った。
【００４８】
本発明の第四の実施例では、メモリ間コピー（複製）もしくはメモリ間ムーブ（移動）に関して、転送先のメモリサイズが不足した場合に関して説明する。
【００４９】
図１１は本発明第４の実施例を実現するための記録再生装置の要部を示すブロック図である。同図において図１の記録再生装置と同符号で示された部分は、図１で説明した動作と同様であり、ここではその説明を割愛する。本実施例での構成要素となる１１−３はメモリ制御部で、メモリカード１−１と、更に別の記録媒体としての内蔵メモリ１１−１３と通信してメモリへのアクセス処理を行う。１１−４はメモリ情報検出部で、メモリ制御部１１−３がメモリのアクセスによって得たメモリ情報を取得する。このメモリ情報には、メモリカードの種類、メーカ、製品名、記録容量情報などが記録されている。
【００５０】
まず、操作部１−８にて内蔵メモリに格納されているデータの一部または全部をメモリカードにコピー（複製）もしくはムーブ（移動）する操作が選択される。すると１１−７で、ガイド情報生成部Ｄは、メモリ制御部１１−３がファイル転送状態に遷移した時に、メモリ制御部からのリクエストによってメモリガイド情報制御部Ｄの処理が開始される。１１−１４は転送サイズ検出部で、転送ファイルのサイズを検出する。１１−１５は残量検出部で、転送先メモリの記録可能な残り容量を検出する。
【００５１】
ここで図１２のフローチャート図を用いてメモリガイド情報制御部Ｄの処理を説明する。
【００５２】
ガイド情報生成部Ｄ１１−７はＳ１２−１にて、メモリ制御部１１−３からのファイル転送時の処理要求を確認するとＳ１２−２に進み、その処理を開始する。先ずＳ１２−２ではファイル転送が内蔵メモリからメモリカードへの方向であることを確認し、Ｓ１２−３に進む。Ｓ１２−３では転送サイズ検出部１１−１４で検出された転送ファイルのサイズと、残量検出部１１−１５で検出されたメモリカードの残量を確認して、転送の可否を判断する。転送サイズの方が記録可能な容量（残量）よりも大きい場合は、転送不可能としてＳ１２−４に進む。Ｓ１２−４ではカード判別部１−５のカード判別情報を検出する。カード判別情報とは、ＳＤ規格のメモリカードか、ＳＤＨＣ規格のメモリカードか、次世代規格のメモリカードかの何れかの情報となる。次いでＳ１２−５に進み、カード判別情報が次世代規格のメモリカードであるか確認する。次世代規格のメモリカードでなければＳ１２−６に進み、転送先メモリの残量不足により転送不可能として警告ガイドを生成し、表示部１−１１に出力する。一方、Ｓ１２−５にて次世代規格のメモリカードが確認されるとＳ１２−７に進み、ここでファイルシステム検出部１−６にて検出されたメモリカードのファイルシステム情報を検出する。次いで１２−８に進み、ファイルシステム情報がｅｘＦＡＴであるか確認する。ｅｘＦＡＴであれば、Ｓ１２−６に進み、転送先メモリの残量不足により転送不可能として警告ガイドを生成する。一方、ｅｘＦＡＴでなければ、３２ＧＢを超えるメモリエリアが未使用のままなので、メモリカードをｅｘＦＡＴのファイルシステムで使用した場合にファイル転送可能な残量になるか確認する。ここでｅｘＦＡＴ時の残量が転送ファイルのサイズ以上であれば、転送可能と判断してＳ１２−１０に進む。１２−１０では、ｅｘＦＡＴで初期化することを推奨する警告ガイドを生成する。
【００５３】
ここで、Ｓ３−１０で生成された「ｅｘＦＡＴのファイルシステムに初期化しなおすことを推奨する警告ガイド」の一例を図５に示す。ここでも警告ガイドの文言や表示形式に関しては図５の一例に限らず、例えばアイコン形成で表現してもかまわない。
【００５４】
ここで、Ｓ１２−６で生成された転送不可能の警告ガイドの一例を図１３に示す。警告ガイドの文言や表示形式に関しては図４の一例に限らず、例えばアイコン形成で表現してもかまわない。
【００５５】
更にＳ１２−１０で生成されたｅｘＦＡＴでの初期化を誘導する警告ガイドの一例を図１４に示す。警告ガイドの文言や表示形式に関しては図１４の一例に限らず、例えばアイコン形成で表現してもかまわない。図１４で記される「本体で初期化」とは、ｅｘＦＡＴのファイルシステムでの初期化を意味している。ここでユーザは警告ガイドに基づき操作部１−８を介して初期化の実行／非実行を選択する。初期化が選択されるとメモリ制御部１１−３は、ｅｘＦＡＴのファイルシステムで初期化を実行した後、メモリ間コピー（複製）もしくはメモリ間ムーブ（移動）を実行する。またメモリカードに既にファイルが存在する場合には、一旦メモリカード内ファイルを内蔵メモリに退避した後、ｅｘＦＡＴのファイルシステムでの初期化、初期化後に退避ファイルをメモリカードに復帰させる。そしてメモリ間コピー（複製）もしくはメモリ間ムーブ（移動）を実行する。
【００５６】
以上のように、データのコピー又はムーブの際、転送先のメモリの容量が不足する場合に、転送先のメモリがｅｘＦＡＴでフォーマットされていることが期待される次世代規格のメモリカードで、且つファイルシステムがｅｘＦＡＴで無い場合に、ｅｘＦＡＴでの初期化を促がすことができる。そして、ファイルシステムの初期化によってデータが消失することもなく、データの移動またはコピーも行うことができる。
【図面の簡単な説明】
【００５７】
【図１】本発明第１の実施例を実現するための記録再生装置の要部を示すブロック図
【図２】本発明第１、２、３の実施例におけるカード判別処理を示すフローチャート図
【図３】本発明第１の実施例におけるガイド情報生成処理を示すフローチャート図
【図４】本発明第１、２、３の実施例における認識できないカードの警告ガイドの一例
【図５】本発明第１、２、３の実施例における初期化を推奨する警告ガイドの一例
【図６】本発明第１、２、３の実施例における初期化を誘導する警告ガイドの一例
【図７】本発明第２の実施例を実現するための記録再生装置の要部を示すブロック図
【図８】本発明第２の実施例におけるガイド情報生成処理を示すフローチャート図
【図９】本発明第３の実施例を実現するための記録再生装置の要部を示すブロック図
【図１０】本発明第３の実施例におけるガイド情報生成処理を示すフローチャート図
【図１１】本発明第４の実施例を実現するための記録再生装置の要部を示すブロック図
【図１２】本発明第４の実施例におけるガイド情報生成処理を示すフローチャート図
【図１３】本発明第４の実施例における転送不可能の警告ガイドの一例
【図１４】本発明第４の実施例における認識できないカードの警告ガイドの一例
【符号の説明】
【００５８】
１−１  メモリーカード
１−２  カード装填部
１−３  カード制御部
１−４  カード情報検出部
１−５  カード判別部
１−６  ファイルシステム検出部
１−７  ガイド情報生成部
１−８  操作部
１−９  画像入力部
１−１０  画像処理部
１−１１  表示部
７−７  ガイド情報生成部Ｂ
９−７  ガイド情報生成部Ｃ
９−１２  マウント履歴検出部
１１−３  メモリ制御部
１１−４  メモリ情報検出部
１１−７  ガイド情報生成部Ｄ
１１−１３  内蔵メモリ
１１−１４  転送サイズ検出部
１１−１５  残量検出部
【図１】
2010160630.tif 000003
【図２】
2010160630.tif 000004
【図３】
2010160630.tif 000005
【図４】
2010160630.tif 000006
【図５】
2010160630.tif 000007
【図６】
2010160630.tif 000008
【図７】
2010160630.tif 000009
【図８】
2010160630.tif 000010
【図９】
2010160630.tif 000011
【図１０】
2010160630.tif 000012
【図１１】
2010160630.tif 000013
【図１２】
2010160630.tif 000014
【図１３】
2010160630.tif 000015
【図１４】
2010160630.tif 000016